Podtech/llm-jp-corpus-v4-ja_patent huggingface dataset:
(57)【要約】【課題】  本発明は、フレームと複数個のピンチを有する物干し具において、洗濯物の物干し、取り込みが、楽な姿勢で容易に行える物干し具を提供することを課題とする。【解決手段】  フレームと複数個のピンチを有する物干し具において、前記ピンチが、着脱容易に引っ掛けることのできるフック部を有するとともに、前記フレームが、前記ピンチのフック部を着脱容易に引っ掛けることのできる懸吊部を有すること、を特徴とする物干し具を提供することで、課題を解決した。【選択図】図３
2016067869.tif 000002
【特許請求の範囲】
【請求項１】
フレームと複数個のピンチを有する物干し具において、前記ピンチが、着脱容易に引っ掛けることのできるフック部を有するとともに、前記フレームが、前記ピンチのフック部を着脱容易に引っ掛けることのできる懸吊部を有すること、を特徴とする物干し具。
【請求項２】
フレームと複数個のピンチを有する物干し具において、前記ピンチが、着脱容易に引っ掛けることのできる懸吊部を有するとともに、前記フレームが、前記ピンチの懸吊部を着脱容易に引っ掛けることのできるフック部を有すること、を特徴とする物干し具。
【発明の詳細な説明】
【技術分野】
【０００１】  本発明は洗濯物を干す場合等に使用される物干し具に関する。
【背景技術】
【０００２】  従来、フレームと複数個のピンチを有する物干し具は、前記ピンチが前記フレームに連結されていることから、前記物干し具が低い位置に吊り下げられた場合等に、前記ピンチに洗濯物を挟むのが、腰をかがめて無理な姿勢での作業となり、洗濯物の物干し、取り込みに手間がかかる問題があった。
【発明の概要】
【発明が解決しようとする課題】
【０００３】  本発明は、フレームと複数個のピンチを有する物干し具において、洗濯物の物干し、取り込みが、楽な姿勢で容易に行える物干し具を提供することを目的とする。
【課題を解決するための手段】
【０００４】  上記課題を解決するための手段として、本発明に係る、請求項１に記載の物干し具は、フレームと複数個のピンチを有する物干し具において、前記ピンチが、着脱容易に引っ掛けることのできるフック部を有するとともに、前記フレームが、前記ピンチのフック部を着脱容易に引っ掛けることのできる懸吊部を有すること、を特徴とする。【０００５】  上記課題解決手段による作用は次の通りである。すなわち、先ず、前記ピンチのフック部を、前記フレームの懸吊部から容易に取り外す。次に、取り外した前記ピンチに洗濯物を楽な姿勢で挟む。次に、洗濯物を挟んだ前記ピンチのフック部を、前記フレームの懸吊部に容易に引っ掛ける。このことで、洗濯物の物干し、取り込みが、楽な姿勢で容易に行うことができる。【０００６】  また、請求項２に記載の物干し具は、フレームと複数個のピンチを有する物干し具において、前記ピンチが、着脱容易に引っ掛けることのできる懸吊部を有するとともに、前記フレームが、前記ピンチの懸吊部を着脱容易に引っ掛けることのできるフック部を有すること、を特徴とする。【０００７】  請求項２に記載の物干し具も、前記の請求項１に記載の物干し具と同様な作用が得られる。
【発明の効果】
【０００８】  上述したように、本発明の物干し具は、洗濯物の物干し、取り込みが、楽な姿勢で容易に行える物干し具を提供することができる。
【図面の簡単な説明】
【０００９】
【図１】本発明の請求項１の実施形態を示すピンチの一例の斜視図
【図２】本発明の請求項１の実施形態を示すフレームの一例の斜視図
【図３】本発明の請求項１の実施形態を示す物干し具の一例の斜視図
【図４】本発明の請求項２の実施形態を示すピンチの一例の斜視図
【図５】本発明の請求項２の実施形態を示すフレームの一例の斜視図
【図６】本発明の請求項２の実施形態を示す物干し具の一例の斜視図
【発明を実施するための形態】
【００１０】  以下、本発明の実施の形態を図１〜図６に基づいて説明する。
【００１１】  図１〜図３においては、着脱容易に引っ掛けることのできるフック部１２を有するピンチ１１と、前記ピンチのフック部１２を着脱容易に引っ掛けることのできる穴状の懸吊部２２を有するフレーム２１を、有する請求項１記載の物干し具の一例を図示している。
【００１２】  図３に示すように、先ず、ピンチ１１のフック部１２を、フレーム２１の穴状の懸吊部２２から容易に取り外す。次に、取り外したピンチ１１に洗濯物を楽な姿勢で挟む。次に、洗濯物を挟んだピンチのフック部１２を、フレーム２１の穴状の懸吊部２２に容易に引っ掛ける。このことで、洗濯物の物干し、取り込みが、楽な姿勢で容易に行うことができる。
【００１３】  図４〜図６においては、着脱容易に引っ掛けることのできるリング状の懸吊部４２を有するピンチ４１と、前記ピンチのリング状の懸吊部４２を着脱容易に引っ掛けることのできるフック部５２を有するフレーム５１を、有する請求項２記載の物干し具の一例を図示している。
【００１４】  図６に示すように、先ず、ピンチ４１の懸吊部４２を、フレーム５１のフック部５２から容易に取り外す。次に、取り外したピンチ４１に洗濯物を楽な姿勢で挟む。次に、洗濯物を挟んだピンチ４１の懸吊部４２を、フレーム５１のフック部５２に容易に引っ掛ける。このことで、洗濯物の物干し、取り込みが、楽な姿勢で容易に行うことができる。
【００１５】  なお、図１〜６に図示した、フック部や懸吊部の形状は、一例であって、図示した形状に限定されるものではなく、着脱容易に引っ掛けることのできる形状であればよい。
【００１６】  また、図１〜６に図示した、フック部や懸吊部の形状は、一例であって、図示した形状に限定されるものではなく、着脱容易に引っ掛けることができれば、ピンチが風で飛ばされないような形状、すなわち例えば、フック部を深くする等の形状、としてもよい。
【符号の説明】
【００１７】１１  ピンチ
１２  フック部
２１  フレーム
２２  懸吊部
４１  ピンチ
４２  懸吊部
５１  フレーム
５２  フック部
【図１】
2016067869.tif 000003
【図２】
2016067869.tif 000004
【図３】
2016067869.tif 000005
【図４】
2016067869.tif 000006
【図５】
2016067869.tif 000007
【図６】
2016067869.tif 000008
(57)【要約】      （修正有）【課題】プレスカッターの組み付けに楽で、清掃の手間がかからないプレスカッターを提供する。【解決手段】プレスカッター１，２，３，４の刃先を片刃にし、プレスカッターＡ３，４の端面を刃先辺に対し直角にした面を作ったので、隙間がなく、４枚のプレスカッターの刃先を一面に押し当て固定でき、フッ素樹脂をコーテイングし、付着物の低減を図った。【選択図】図１
2016067868.tif 000002
【特許請求の範囲】
【請求項１】
薄切りにした食パンの４辺の耳を切り落とす加工装置で、使用するプレスカッターで、
刃部の両端が刃先に対し直角な一定長の辺を有した片刃または両刃のプレスカッターＡ。
刃部が片刃となっているプレスカッターＢ。
このようなＡ，Ｂ２種類のプレスカッターを据え付けて、接合部を面接触させたプレスカッターユニット。
【請求項２】
請求項１のプレスカッターに全面にフッ素樹脂コーテイングを施したこと。
【発明の詳細な説明】
【技術分野】
【０００１】この発明は、薄切りにした食パンの４辺の耳を切り落とす加工装置で、四角切りプレスユニットを食パンの上からプレスして食パンの耳をきり落とす４枚の片刃のプレスカッターに関するものである。
【背景技術】
【０００２】従来、スライスした食パンの耳を切り落とすために４枚のプレスカッターを四角くセットできる治具にセットし、下にパンを置き上からしたへ落とすことによって４辺のパンの耳を切り落とことがなされている。
この時、４枚のプレスカッターをきちんと取りつけることがもとめられている。
【発明の概要】
【発明が解決しようとする課題】
【０００４】（イ）従来、このプレスカッターは２種類の両刃タイプで１種類の両端は鋭角になっていました。したがって、２種類の刃の突合せは１点であり取り付けは微妙で、多大な時間がかかっていた。
また、使用して切れなくなった場合、刃先を研磨すると両端が短くなり取りつけたとき一方のカッターの刃先との間に隙間ができるためパンが完全に切れない状態がおこるため、再生利用が不可能とされていた。
（ロ）これまでのプレスカッターは装置稼働中プレスカッターに油、パン粉などの付着物が多く付着し、切れ味を悪くしたり、清掃に多くの時間を要していた。
本発明は以上のような欠点をなくすためになされたものである。
【課題を解決するための手段】
【０００５】（イ）２枚のプレスカッターのつき合わせを容易にするために２種類のプレスカッターを片刃にすると同時に１種類のプレスカッターは両端面を刃に対し直角にした辺を設けた。
（ロ）付着物低減のため非粘着性のあるフッ素樹脂コーテイングをほどこした。
【発明の効果】
【０００６】（イ）プレスカッターＡは両端が刃に対し直角で一定の長さがあり、Ａと突き合わせるプレスカッターＢは片刃の垂直辺でＡとの接触面はぴったりと接触しＡ，Ｂの刃先を同一面で揃えるだけで微妙な調整は一切不要となった。
（ロ）切れなくなったものを再生してもプレスカッタＡは両端に一定長さの辺があるため、取り付け位置の上下調整のみで容易にとりつけられ、複数回再研磨しても使用できるようになった。
（ハ）フッ素樹脂コーテイングの効果で、付着物が低減され、仮に付着しても容易に除去出来るようになったため、現場作業者のメンテナンス時間が非常に短縮され負担が軽くなった。
本発明は以上の構成よりなるパン耳きり落としのプレスカッターである。
【図面の簡単な説明】
【０００７】
【図１】本発明のプレスカッターＡ，Ｂの治具取り付けの斜視図
【図２】本発明のプレスカッターＡ，Ｂの治具取り付けの正面図
【図３】本発明のプレスカッターＡの斜視図
【図４】本発明のプレスカッターＢの斜視図
【図５】本発明のプレスカッターＡの正面図
【図６】本発明のプレスカッターＡの断面図
【図７】本発明のプレスカッターＢの正面図
【図８】本発明のプレスカッターＢの断面図
【図９】従来のプレスカッターＡ，Ｂの治具取り付けの正面図
【発明を実施するための形態】
【０００８】以下、本発明を実施するための形態について説明する。
図３のプレスカッターＡは刃先の両端で１，２が直角に立ち上がっており、刃は３のように片刃になっている。
図４のプレスカッターＢの刃先３は片刃となっている。
図１の３，４のプレスカッターＡおよび１，２のプレスカッターＢを取付ジグ５に取り付けたものである。
図２は図１の正面図である。
治具への取付は、プレスカッターＡの端面をプレスカッターＢにあて、刃先を同一平面に揃えて固定するだけで良い。
このプレスユニット治具が上下して下に置かれたスライスパンの４辺を切り取り四角の耳のないパンを加工するものである。
本発明は、以上のような構造である。
【符号の説明】
【０００９】図１    １，２はプレスカッターＢ、３，４はプレスカッターＡ、５は取付ジグ。
図２    １，２はプレスカッターＢ、３，４はプレスカッターＡ、５は取付ジグ。
図３    １は刃の端の面で２は刃先である。１と２は直角である。もう一方の端も同様で        ある。３は刃部で、片面のみ研磨されている片刃である。
図４    ２は刃先で、３は刃部で片刃である。
１は端面であり、刃先と直角であるが、鋭角でも良い。
図５    １，２は端の面で３は刃部に対し直角になっている。
図６    １は刃部である。片刃でも両刃でもよい。
図７    １は刃部で片刃である。
図８    １は刃部で片刃である。
図９    １，２はプレスカッターＢ、３，４はプレスカッターＡ、５は取付ジグ。
６，７は刃部で両刃である。１０は刃部で両刃である。
プレスカッターＡの刃先の両端８，９は９０度未満の角度がついている。
従って、再研磨により刃先が短くなると、６，７に接触しなくなる。
【図１】
2016067868.tif 000003
【図２】
2016067868.tif 000004
【図３】
2016067868.tif 000005
【図４】
2016067868.tif 000006
【図５】
2016067868.tif 000007
【図６】
2016067868.tif 000008
【図７】
2016067868.tif 000009
【図８】
2016067868.tif 000010
【図９】
2016067868.tif 000011
(57)【要約】      （修正有）【課題】腕や指などに障害のある人が碁石の片づけが困難であることを解決する碁石を提供する。【解決手段】白黒２種類ある碁石のいずれか一方の碁石に鉄成分を混入し、磁石にくっつく碁石にする。これにより、対局後、碁石に磁石を近づけて、磁石にくっつく碁石だけを磁石にくっつけ、碁けに碁石を簡単に戻すことが可能になる。特に電磁石を使う場合は電源をＯＦＦにすると碁石が簡単に磁石から離れ、より簡単に碁けに戻すことができる。【選択図】なし【特許請求の範囲】
【請求項１】
碁石の中に鉄成分を混入することで、磁石にくっつく碁石
【請求項２】
碁石をくっつける磁石は永久磁石又は電磁石とする。
【発明の詳細な説明】
【技術分野】
【０００１】  本発明は白黒２種類ある碁石のいずれか一方の碁石の中に鉄成分を混入し、磁石にくっつく碁石にすること。磁石は永久磁石又は電磁石とする。
【背景技術】
【０００２】  従来、碁の対局が終わったら、対局者が自分の使った碁石を碁け（碁石を入れる器）に片付けるのが一般的である。しかし、腕や指などに障害があるとこの片づけが困難である。
【発明が解決しようとする課題】
【０００３】  腕や指などに障害のある人が碁石を片付けが困難であることを解決することを課題とする。
【課題を解決するための手段】
【０００４】  この課題を解決するために請求項１ならびに請求項２の発明は、碁石に鉄成分を混入し、磁石にくっつく碁石にすることを特徴とする。使用する磁石は永久磁石又は電磁石とする。
【発明の効果】
【０００５】  白黒いずれか一方を磁石にくっつく碁石にすることにより、対局後、碁石に磁石を近づけて、磁石にくっつく碁石だけを磁石にくっつけ、碁けに碁石を簡単に戻すことが可能になる。特に電磁石を使う場合は電源をＯＦＦにすると碁石が簡単に磁石から離れ、より簡単に碁けに戻すことができる。
【発明を実施するための最良の形態】
【０００６】  磁石の中に鉄成分を混入し、磁石にくっつく碁石とする。使用する磁石は永久磁石又は電磁石とする。
【産業上の利用可能性】
【０００７】  本発明は腕や指などに障害を持った人でも簡単に碁けに碁石を片付けられるので、障害者も楽しく碁を打てるので、碁石人口の拡大につながり、産業上の利用可能性を有する。
(57)【要約】【課題】外反母趾の母趾を元の位置に戻そうとして母趾と第２趾の間にクッションなど入れても第２趾が第５趾方向に倒れていってしまい改善されることはなかった。  本発明は、母趾自体を改善させることを提供する。【解決手段】足の底と甲を包み込んでいる円柱の本体部分と母趾を包む円柱部分は繋がっている。母趾と第２趾の間から出ている幅広の紐が母趾を一旦外側に引っ張り固定したままで、足側面に面ファスナーで着く外反母趾ストレッチサポーター。【選択図】図１
2016067872.tif 000002
【特許請求の範囲】
【請求項１】
サポーター本体（１）には足の底部（４）と足の甲（５）と親指（６）を包み込む親指収納部（７）を設け、該親指収納部（７）の本体内側（７）には帯状の紐（２）が取り付けられ、帯状の紐（２）の先端部（８）を親指を外側に引っ張った状態を保持するようにし、サポーター本体（１）の面ファスナー（３）に固定するようにした外反母趾ストレッチサポーター。
【発明の詳細な説明】
【技術分野】
【０００１】  本発明は、外反母趾の母趾を外側に引っ張り改善と予防をするためのものである。
【背景技術】
【０００２】  従来は母趾と第２趾の間に、クッションなどの固定具を入れ広げていた。また、母趾ボール部が外方向に飛び出したままで、母趾の付け根に向かい押し込んでいた。
【発明の概要】
【発明が解決しようとする課題】
【０００３】  母趾と第２趾の間に何か入れて広げると第２趾が第３趾の方へ寄っていってしまうので、外反母趾が改善されないため問題であった。また、母趾ボール部が飛び出したまま親指の付け根に向かい押し込むとさらに母趾ボール部は曲がり、改善されないため問題であった。
本発明は、以上の問題点を解決するためになされたものである。
【課題を解決するための手段】
【０００４】  母趾を自然な位置に戻すため、母趾の内側（第２趾側）にある紐を外側に向け引っ張り、母趾を外に向ける。元に戻った母趾を固定したまま、側面に紐を面テープにより着ける。
以上の構成よりなる外反母趾ストレッチ。
【発明の効果】
【０００５】  母趾を外側に引っ張ることで改善と予防をする。また、第２趾が５趾の方へ向いてしまうこともなく、他の指に負担がかからないので、外反母趾の改善に効果が上がるものである。
【図面の簡単な説明】
【０００６】
【図１】本発明の母趾を引っ張っている使用状態の図。
【図２】本発明の斜視図。
【図３】本体の展開図。
【図４】骨の状態図。
【発明を実施するための形態】
【０００７】  以下、本発明の実施の形態を説明する。
（イ）図１に示すように、サポーター本体（１）には足の底部（４）と足の甲（５）と親指（６）を包み込む親指収納部（７）を設けている。
（ロ）サポーター本体（１）は平たいストレッチ素材で形成されている。
（ハ）図３に示したように、サポーター本体（１）に設けられた親指（６）を挿入する親指収納部（７）の内側には帯状の紐（２）が取り付けられ、その先端部（８）には帯状の紐（２）でサポーター本体（１）に固定するために、面ファスナー（９）が取り付けられている。
（ニ）図１に示すように、サポーター本体（１）の親指（６）の下方側面に、面ファスナー（３）が取り付けられている。
本発明は、以上のような構造である。
本発明を使用するときは、外反母趾の足をサポーター本体（１）に装着し、親指（６）を親指収納部（７）に挿入する。親指収納部（７）の内側より取り付けられた紐（２）を親指（６）が元に戻るように外側に向け引っ張り、足の側面の面ファスナー（３）に固定する。母趾ボール部（１０）より内側に向いて外反母趾となっている親指（６）の骨格が外側に押し戻り、矯正することができる。
【符号の説明】
【０００８】  １．サポーターの本体  ２．紐  ３．面ファスナーの止める位置
４．底部  ５．甲  ６．親指  ７．親指収納部  ８．紐の先端部
９．面ファスナー  １０．母趾ボール部  １１．本体内側
【図１】
2016067872.tif 000003
【図２】
2016067872.tif 000004
【図３】
2016067872.tif 000005
【図４】
2016067872.tif 000006
(57)【要約】【課題】この発明はスタンドミラー下段部分にポールを設けポール中央上下可動入口よりジュエリーをつるし収納するジュエリーラックミラーを提供する。【解決手段】スタンドミラー（１）の下段にポール（２）に（３）上下可動式ゴムを設け上下可動ゴム（３）中央より付属品（４）を脱着出来る事を特徴としたジュエリーミラー【選択図】図２
2016067874.tif 000002
【特許請求の範囲】
【請求項１】
スタンドミラー（１）の下段にポール（２）に（３）上下可動式ゴムを設け上下可動ゴム（３）中央より付属品（４）を脱着出来るようにした事を特徴としたジュエリーラックミラー。
【発明の詳細な説明】
【技術分野】
【０００１】この発明はスタンドミラー下段部分にポールを設けポール中央上下可動入口よりジュエリーをつるし収納するジュエリーラックミラーに関するものである。
【背景技術】
【０００２】従来スタンドミラーとジュエリーラックは別々になっていた。
ジュエリー専用付属品が無かった。
【先行技術文献】
【特許文献】
【０００３】
【特許文献１】特開１０−１１３２６５号公報
【特許文献２】特開５−４６３７４号公報
【発明の概要】
【発明が解決しようとする課題】
【０００４】持ち運びの便利なスタンドミラーを使用しジュエリーを脱着の際次のような問題点があった。
ジュエリーの粉失が非常に多かったのである。
【課題を解決するための手段】
【０００５】スタンドミラー（１）の下段ポール（２）に上下可動式ゴム（３）を設け付属品（４）を脱着する事が出来る。
本発明は以上の構成によりなるジュエリーラックミラーである。
【発明の効果】
【０００６】スタンドミラーにジュエリーラックを設置する事により粉失も無くなり鏡下段部分に（２）がある為脱着の際非常に便利である。
持ち運びにも便利である。
【図面の簡単な説明】
【０００７】
【図１】本発明の正面図である。
【図２】本発明の斜視図である。
【図３】本発明の斜視図である。
【発明を実施するための形態】
【０００８】以下本発明を実施するための形態について説明する。
スタンドミラー（１）の下段部分にゴム製上下可動式ゴム（３）を設ける。
上下可動ゴム（３）中央より付属品（４）を差しこみセットする。
本発明は以下のような構成である。
これを使用する時はスタンドミラーとジュエリーラックの一体化付属品をセットする事によりアクセサリーの粉失を防止する事が出来る。
【符号の説明】
【０００９】１  スタンドミラー
２  ポール
３  上下可動式ゴム
４  付属品
【図１】
2016067874.tif 000003
【図２】
2016067874.tif 000004
【図３】
2016067874.tif 000005
(57)【要約】【課題】錠剤シートの錠剤の入っているＰＴＰシートの凸部と凸部の隙間を均等にカットで切る様に、隙間用のＬ字型スペーサを設ける事で、神経を費やさず安心安全且つ、効率良くカット作業が出来ることを提供する。【解決手段】長方形のボックスの開口部の一辺に、押し切り装置を備えた事を特徴とする押し切り装置付き錠剤カットボックス。【選択図】図１
2016067871.tif 000002
【特許請求の範囲】
【請求項１】
長方形のボックスの開口部の上部の一辺に、押し切り装置を備えた押し切り装置付き錠剤カットボックス。
【請求項２】
請求項１に記載の押し切り装置付き錠剤カットボックスにおいて、ボックスの一辺に押し切り装置を備える位置に、ＰＴＰシートの錠剤凸部と凸部の隙間を均等にカット出来る様に、隙間用のＬ字型スペーサを設けた、押し切り装置付き錠剤カットボックス。
【発明の詳細な説明】
【技術分野】
【０００１】  本発明は、２列５段または、２列６段の錠剤シートを、１個包に効率良く安全にカットする為に用いられる、押し切り装置付きカットボックスに関する。
【背景技術】
【０００２】  従来、薬局、院外薬局で１回の診察で２、３種類の錠剤薬を７〜８週間分の２列５段または、２列６段の錠剤シートを処方され、朝、昼、夜食前、食後、など１日に数回に分けて飲まねばならず、２列５段または、２列６段の錠剤シートでの、錠剤を押し出しが大変である為、１個包づつに、切り離す問題があった。
ＰＴＰシートにミシン目が施された錠剤もあったが簡単にカット出来なかった。
従って、これらの切り離しには、汎用のはさみが使用されていた。
【発明の概要】
【発明が解決しようとする課題】
【０００３】  そこで、本発明は、上述の問題を解決する為になされたもので、２列５段または、２列６段の錠剤シートの錠剤の入っているＰＴＰシートの凸部と凸部の隙間を均等にカット出来る様に、隙間用のＬ字型スペーサを設ける事で、神経を費やさず安心安全且つ、効率良くカット作業が出来る事を目的とするものである。
【課題を解決するための手段】
【０００４】  上述の課題解決するために、請求項１に記載の長方形のボックスの開口部の上部の一辺に、押し切り装置を備えた押し切り装置付き錠剤カットボックスである。
請求項２に記載にあっては、請求項１に記載の押し切り装置付き錠剤カットボックスにおいて、ボックスの一辺に押し切り装置を備える位置に、ＰＴＰシートの凸部と凸部の隙間を均等に出来る様に、隙間用のＬ字型スペーサを設ける事が望ましい。
また、押し切り装置付き錠剤カットボックスにおいて、底面裏面全面、或は、４隅に施すことが望ましい。
【発明の効果】
【０００５】  ２列５段または、２列６段の錠剤シートを１個包づつに、切り離す必要がりあり、本発明の押し切り装置付き錠剤カットボックスに隙間用のＬ字型スペーサを設ける事で、錠剤シートに錠剤の入っているＰＴＰシートの凸部と凸部の隙間を均等にカット出来、不安定な汎用のはさみを使用しなくとも、押し切り式なの安定し、適度の隙間を作り、神経を費やさず安心安全且つ、効率良くカット作業が楽くになった。
また、個包づつにカットされた錠剤は、ボックス内に落ち散らばらないので、拾い集める手間が省ける様になった。
【図面の簡単な説明】
【０００６】
【図１】本発明の上から見た斜視図である。
【図２】本発明の上から見た斜視図である
【図３】本発明の一実施例の上から見た斜視図である。
【図４】本発明の一実施例の下から見た斜視図である。
【図５】本発明の一実施例の上から見た斜視図である。
【図６】本発明の一実施例の図５の隙間用スペーサ細部の斜視図である。
【図７】本発明の一実施例の図６の隙間用スペーサ細部の部分平面図である。
【発明を実施するための形態】
【０００７】    以下、本発明の実施の形態を参照しながら説明する。
【実施例１】
【００８】  図１は、本発明１を、上からの斜視図であり、押し切り装置付き錠剤カットボックス本体１の開口部の一辺に、カット用刃２と隙間用のＬ字型スペーサ８を備えた、押し切り装置を先端の取り付け孔に取り付けボルト４で上下可動に取り付けられている。錠剤カット用刃２は、ステンレス鋼製で、柄部３、錠剤カットボックス１は、合成樹脂製よりなっている。
【実施例２】
【００９】  図２は、錠剤カット用刃２を、押し切り装置付き錠剤カットボックス１内に納めた時の斜視図であり使用しない時は、安全に保管出来るものである。
【実施例３】
【００１０】  図３は、押し切り装置付き錠剤カットボックス１に２列６段１２錠入りの錠剤シートの縦長を、錠剤凸部７と凸部の隙間用のＬ字型スペーサ８の上に置き、固定刃９により綺麗に神経を費やさず安心安全且つ、効率良くカット作業が出来るものである。
【実施例４】
【００１１】  図４は、押し切り装置付き錠剤カットボックス１に２列６段１２錠入りの錠剤シートの、凸部と凸部の隙間を隙間用のＬ字型スペーサ８の上に置き、カット途中の下からの斜視図であり、押し切り装置付き錠剤カットボックス１の底面裏面の全面、又は、４隅に滑り止め５が施してある為、移動しなく効率良くカット作業が出来るものである。
【実施例５】
【００１２】  図５は、押し切り装置付き錠剤カットボックス１に錠剤凸部７と凸部の隙間用のＵ字型スペーサ８が備えられていて錠剤シート６は、錠剤を傷つけずにカット作業が出来るものである。
【実施例６】
【００１３】  図６は、図５錠剤凸部７と凸部の隙間用のＬ字型スペーサ８が備えられた細部で、ＰＴＰシートの凸部と凸部の隙間を均等にカットできる様に、隙間用のＬ字型スペーサ８を設ける事で効率良くカット作業が出来るものである。
【実施例７】
【００１４】  図７は、押し切り装置付き錠剤カットボックス１の押し切り装置のカット図で、Ｌ字型スペーサ８の取り付けの細部である。
【符号の説明】
【００１５】    １  押し切り装置付き錠剤カットボックス本体
２  錠剤カット用刃
３  柄
４  取り付けボルト
５  滑り止め
６  錠剤シート
７  錠剤凸部
８  Ｌ字型隙間用スペーサ
９  固定刃
１０  Ｌ字型隙間用スペーサ取り付け部
【図１】
2016067871.tif 000003
【図２】
2016067871.tif 000004
【図３】
2016067871.tif 000005
【図４】
2016067871.tif 000006
【図５】
2016067871.tif 000007
【図６】
2016067871.tif 000008
【図７】
2016067871.tif 000009